(57)【要約】【課題】除湿性能と省エネルギー性能の更なる向上を図ること。【解決手段】熱交換部にて加熱された熱搬送媒体を加熱部１５に循環供給する熱搬送媒体循環回路１６が備えられ、熱交換部として、圧縮機６を駆動する駆動部１４の排熱により熱搬送媒体を加熱する駆動排熱用熱交換部１７と冷媒回路２の冷媒により熱搬送媒体を加熱する冷媒排熱用熱交換部１８とが備えられ、且つ、熱搬送媒体循環回路１６において、駆動排熱用熱交換部１７と冷媒排熱用熱交換部１８とが直列に配置されている。【選択図】図１
2017009187.tif 000002
【特許請求の範囲】
【請求項１】
圧縮機、室外熱交換器、膨張部、及び、室内熱交換器に冷媒を通流させる冷媒回路と、
空調対象空間外の空気を空調対象空間内に供給する給気路と、
空調対象空間内の空気を空調対象空間外に排気する排気路と、
前記給気路にて空調対象空間内に供給される空気の水分を吸着し、前記排気路にて空調対象空間外に排気される空気へ水分を放出する除湿部と、
前記排気路にて前記除湿部に供給される前の空気を加熱する加熱部とが備えられた空調装置であって、
熱交換部にて加熱された熱搬送媒体を前記加熱部に循環供給する熱搬送媒体循環回路が備えられ、
前記熱交換部として、前記圧縮機を駆動する駆動部の排熱により熱搬送媒体を加熱する駆動排熱用熱交換部と前記冷媒回路の冷媒により熱搬送媒体を加熱する冷媒排熱用熱交換部とが備えられ、且つ、前記熱搬送媒体循環回路において、前記駆動排熱用熱交換部と前記冷媒排熱用熱交換部とが直列に配置されている空調装置。
【請求項２】
前記駆動部は、エンジンにて構成され、
前記熱搬送媒体循環回路は、前記冷媒排熱用熱交換部、前記駆動排熱用熱交換部の順に熱搬送媒体を通流させる請求項１に記載の空調装置。
【請求項３】
空調対象空間に、複数の室内熱交換器が備えられ、
前記冷媒回路は、複数の室内熱交換器の夫々に冷媒を通流させる請求項１又は２に記載の空調装置。
【請求項４】
前記冷媒回路は、前記冷媒排熱用熱交換部において、前記室外熱交換器を通過する前の過熱蒸気の冷媒により熱搬送媒体を加熱させ、
前記冷媒回路の冷媒により前記給気路にて空調対象空間内に供給される空気を冷却する冷却部を備えている請求項１〜３の何れか１項に記載の空調装置。
【発明の詳細な説明】
【技術分野】
【０００１】
本発明は、空調対象空間の空調を行う空調装置に関する。
【背景技術】
【０００２】
上記空調装置として、例えば、空調対象空間の冷房や暖房を行う直膨式の冷暖房装置と、空調対象空間の除湿を行うデシカント装置とを組み合わせた空調装置が提案されている（例えば、特許文献１参照。）。
【０００３】
この特許文献１に記載の装置では、冷暖房装置が、圧縮機、室外熱交換器、膨張部、室内熱交換器に冷媒を通流させる冷媒回路を備えており、空調対象空間に備えられた室内熱交換器に冷媒を供給することで、空調対象空間の冷房や暖房を行う。デシカント装置は、室外の空気を室内に供給する給気路と、室内の空気を室外に排気する排気路と、給気路にて室外から室内に供給される空気の水分を吸着し、排気路にて室内から室外に排気される空気に水分を放出する除湿部（デシカントロータ）とを備えており、空調対象空間の換気及び除湿を行う。
【０００４】
上記特許文献１に記載のシステムでは、排気路のデシカントロータよりも上流側に加熱部を備えており、この加熱部にてデシカントロータに供給する前の空気を加熱することで、乾燥された空気に対してデシカントロータからの水分を放出して、デシカントロータの再生を行っている。加熱部は、圧縮機を駆動するエンジンの排熱、及び、冷媒回路における凝縮熱を利用して空気を加熱しており、圧縮機を駆動するエンジンの排熱、及び、冷媒回路における凝縮熱をデシカントロータの再生に利用することで、省エネルギー化を図っている。
【先行技術文献】
【特許文献】
【０００５】
【特許文献１】特開２００３−２７９０７０号公報
【発明の概要】
【発明が解決しようとする課題】
【０００６】
しかしながら、上記特許文献１に記載の装置では、単に、エンジンの排熱や冷媒回路における凝縮熱をデシカントロータの再生に利用する点が記載されているだけである。よって、デシカントロータの再生への熱利用を効率良く行うことで、省エネルギー性能の更なる向上が望まれており、除湿性能についても更なる向上が望まれている。
【０００７】
この実情に鑑み、本発明の主たる課題は、省エネルギー性能及び除湿性能の更なる向上を図ることができる空調装置を提供する点にある。
【課題を解決するための手段】
【０００８】
本発明の第１特徴構成は、圧縮機、室外熱交換器、膨張部、及び、室内熱交換器に冷媒を通流させる冷媒回路と、空調対象空間外の空気を空調対象空間内に供給する給気路と、空調対象空間内の空気を空調対象空間外に排気する排気路と、前記給気路にて空調対象空間内に供給される空気の水分を吸着し、前記排気路にて空調対象空間外に排気される空気へ水分を放出する除湿部と、前記排気路にて前記除湿部に供給される前の空気を加熱する加熱部とが備えられた空調装置において、
熱交換部にて加熱された熱搬送媒体を前記加熱部に循環供給する熱搬送媒体循環回路が備えられ、前記熱交換部として、前記圧縮機を駆動する駆動部の排熱により熱搬送媒体を加熱する駆動排熱用熱交換部と前記冷媒回路の冷媒により熱搬送媒体を加熱する冷媒排熱用熱交換部とが備えられ、且つ、前記熱搬送媒体循環回路において、前記駆動排熱用熱交換部と前記冷媒排熱用熱交換部とが直列に配置されている点にある。
【０００９】
本特徴構成によれば、熱搬送媒体循環回路では、直列に配置された冷媒排熱用熱交換部と駆動排熱用熱交換部とに熱搬送媒体を通流させて加熱させるので、熱搬送媒体の全量に対して、２段階の熱交換を行うことができる。これにより、冷媒排熱と駆動排熱とを効率良く回収でき、その効率よく回収した冷媒排熱と駆動排熱とを除湿部（デシカントロータ）の再生に利用でき、省エネルギー性能の更なる向上を図ることができる。しかも、加熱部では、冷媒排熱と駆動排熱とを効率良く回収した熱搬送媒体にて除湿部に供給される前の空気を加熱できるので、適切に乾燥させた空気を除湿部に供給できる。よって、排気路における除湿部（デシカントロータ）から空気への水分の放出を十分に行うことができるので、給気路では水分が十分に放出された除湿部（デシカントロータ）にて水分の吸着を十分に行うことができ、除湿性能の更なる向上も図ることができる。
【００１０】
本発明の第２特徴構成は、前記駆動部は、エンジンにて構成され、前記熱搬送媒体循環回路は、前記冷媒排熱用熱交換部、前記駆動排熱用熱交換部の順に熱搬送媒体を通流させる点にある。
【００１１】
本特徴構成によれば、駆動排熱であるエンジン排熱は、エンジン冷却水や排ガス等の高温の排熱であることから、冷媒排熱用熱交換部、駆動排熱用熱交換部の順に熱搬送媒体を通流させることで、駆動排熱用熱交換部では、冷媒排熱用熱交換部にて加熱された熱搬送媒体をより高温まで安定して加熱できる。これにより、冷媒排熱についても、駆動排熱についても、効率良く十分に回収することができ、省エネルギー性能の更なる向上を適切に図ることができるとともに、加熱部にて高温の熱搬送媒体にて空気を加熱して、十分に乾燥させた空気を除湿部に供給でき、除湿性能の更なる向上をも適切に図ることができる。
【００１２】
本発明の第３特徴構成は、空調対象空間に、複数の室内熱交換器が備えられ、前記冷媒回路は、複数の室内熱交換器の夫々に冷媒を通流させる点にある。
【００１３】
本特徴構成によれば、空調対象空間が、例えば、ビルの内部空間等の大きな空間であっても、複数の室内熱交換器によって適切に冷房や暖房を行うことができる。よって、省エネルギー性能及び除湿性能の向上を図りながら、空調対象空間の冷暖房及び除湿を適切に行うことができ、ビル用マルチ空調装置として汎用性の高いものとなる。
【００１４】
本発明の第４特徴構成は、前記冷媒回路は、前記冷媒排熱用熱交換部において、前記室外熱交換器を通過する前の過熱蒸気の冷媒により熱搬送媒体を加熱させ、前記冷媒回路の冷媒により前記給気路にて空調対象空間内に供給される空気を冷却する冷却部を備えている点にある。
【００１５】
本特徴構成によれば、冷媒排熱用熱交換部では、室外熱交換器を通過する前の過熱蒸気の熱媒により熱搬送媒体を加熱することで、より多くの冷媒排熱を回収することができ、省エネルギー性能の向上を図ることができる。しかも、冷却部では、冷媒回路の冷媒が有する熱を利用して、空調対象空間内に供給される空気を冷却するので、空調対象空間を快適に空調できながらも、省エネルギー性能の向上を図ることができる。
【図面の簡単な説明】
【００１６】
【図１】第１実施形態における空調装置の概略構成を示す図
【図２】第２実施形態における空調装置の概略構成を示す図
【図３】第３実施形態における空調装置の概略構成を示す図
【図４】第４実施形態における空調装置の概略構成を示す図
【発明を実施するための形態】
【００１７】
本発明に係る空調装置の実施形態を図面に基づいて説明する。
〔第１実施形態〕
この空調装置１００は、図１に示すように、例えば、ビル等の建物の室内を空調対象空間１とし、室外機１０と、複数の室内機１２と、室外機１０と室内機１２とを繋ぐ冷媒回路２と、給気路３と、排気路４と、デシカントロータ５（除湿部に相当する）とが備えられている。そして、室外機１０、室内機１２、及び、冷媒回路２によって、空調対象空間１の冷房や暖房を行い、給気路３、排気路４、及び、デシカントロータ５によって、空調対象空間１の換気や除湿を行う。ちなみに、図１では、室内機１２の数を３つとしているが、この数は適宜変更することができる。
【００１８】
冷媒回路２は、圧縮機６、室外熱交換器７、複数の膨張弁８（膨張部に相当する）、及び、複数の室内熱交換器９に冷媒を通流させるように構成されている。圧縮機６は、エンジン１４（駆動部に相当する）によって駆動されている。複数の室内熱交換器９は、並列接続されており、冷媒が分岐して複数の室内熱交換器９の夫々に供給されている。室外機１０には、圧縮機６、室外熱交換器７、及び、室外ファン１１が備えられており、室外熱交換器７において室外ファン１１にて通風される空気（外気）を冷媒と熱交換させている。空調対象空間１に対して複数の室内機１２が備えられており、それら複数の室内機１２の夫々には、膨張弁８、室内熱交換器９、及び、室内ファン１３が備えられている。複数の室内機１２の夫々では、室内ファン１３によって、空調対象空間１から吸い込んだ空気を室内熱交換器９に供給し、その供給後の空気を空調対象空間１に戻すようにしており、空調対象空間１内の空気を室内熱交換器９にて冷媒と熱交換させる状態で循環させている。
【００１９】
図１に示す冷媒回路２では、圧縮機６、室外熱交換器７、複数の膨張弁８、複数の室内熱交換器９の順に冷媒を循環供給させることで、室外熱交換器７を凝縮器として機能させるとともに、複数の室内熱交換器９の夫々を蒸発器として機能させて、空調対象空間１の冷房を行うようにしている。
【００２０】
ちなみに、図示は省略するが、冷媒回路２に冷媒の通流状態を切り替える切替弁（例えば、四方弁）を設け、その切替弁によって、圧縮機６、複数の室内熱交換器９、複数の膨張弁８、室外熱交換器７の順に冷媒を循環供給させる状態に切り替えることで、室外熱交換器７を蒸発器として機能させるとともに、複数の室内熱交換器９を凝縮器として機能させて、空調対象空間１の暖房も行うことができる。
【００２１】
給気路３は、空調対象空間１外の空気（外気）を空調対象空間１内に供給する流路にて構成されており、排気路４は、空調対象空間１内の空気を空調対象空間１外に排気する流路にて構成されている。給気路３と排気路４とは隣接して備えられており、デシカントロータ５は、図外の駆動部により回転駆動することで、給気路３と排気路４を交互に通過するように配置されている。デシカントロータ５は、例えば、高分子収着剤や、ゼオライト、シリカゲル等の吸着剤を備えており、給気路３にて空調対象空間１内に供給される外気の水分を吸着し、排気路４にて空調対象空間１外に排気される空気へ水分を放出するように構成されている。ここで、除湿部として、回転駆動式のデシカントロータ５を例示したが、例えば、給気路３での水分の吸着処理と排気路４での水分の放出処理を交互に切り替え可能なバッチ式の除湿部を適用することもでき、その他各種の除湿部を適用することができる。
【００２２】
このようにして、冷媒回路２によって空調対象空間１の冷房や暖房を行いながら、給気路３、排気路４、及び、デシカントロータ５によって空調対象空間１の換気及び除湿を行うようにしている。この空調装置１００では、空調対象空間１に対して複数の室内熱交換器９を備えているので、空調対象空間１が大きな空間であっても、複数の室内熱交換器９によって適切に冷房や暖房を行える。空調装置１００は、多種多様な建物に対して用いることができ、ビル用マルチ空調装置等の汎用性の高いものとなっている。
【００２３】
この空調装置１００では、排気路４にてデシカントロータ５に供給される前の空気を加熱する加熱部１５と、熱交換部１７，１８にて加熱された熱搬送媒体を加熱部１５に循環供給する熱搬送媒体循環回路１６とが備えられている。そして、熱交換部１７，１８として、エンジン１４の排熱により熱搬送媒体を加熱する駆動排熱用熱交換部１７と冷媒回路２の冷媒により熱搬送媒体を加熱する冷媒排熱用熱交換部１８とが備えられている。ここで、熱搬送媒体として、例えば、熱源水や冷媒等、各種の熱搬送媒体を適用することができる。
【００２４】
加熱部１５は、熱搬送媒体の供給を受けてその熱搬送媒体にて空気を直接加熱する熱交換器にて構成されており、排気路４において空気の通流方向でデシカントロータ５の手前箇所に配置されている。熱搬送媒体循環回路１６では、駆動排熱用熱交換部１７と冷媒排熱用熱交換部１８とが直列に配置されており、冷媒排熱用熱交換部１８、駆動排熱用熱交換部１７の順に熱搬送媒体を通流させている。熱搬送媒体循環回路１６には、熱搬送媒体循環ポンプ１９が備えられ、その熱搬送媒体循環ポンプ１９を駆動させることで、冷媒排熱用熱交換部１８、駆動排熱用熱交換部１７の順に通流させて加熱された熱搬送媒体を加熱部１５に循環供給している。
【００２５】
エンジン１４の排熱を駆動排熱用熱交換部１７に供給するために、エンジン１４の排熱を回収した熱媒体を駆動排熱用熱交換部１７に循環供給する駆動排熱回収回路２０が備えられている。駆動排熱回収回路２０には、駆動排熱回収ポンプ２１が備えられ、その駆動排熱回収ポンプ２１を駆動させることで、例えば、エンジン１４の冷却水や燃焼排ガスと熱媒体との熱交換等によりエンジン１４の排熱を熱媒体にて回収し、その熱媒体を駆動排熱用熱交換部１７に循環供給している。ここで、例えば、エンジン１４の冷却水を熱媒体として、エンジン１４の冷却水を駆動排熱用熱交換部１７に循環供給することもできる。
【００２６】
冷媒回路２は、圧縮機６、冷媒排熱用熱交換部１８、室外熱交換器７、膨張弁８、室内熱交換器９の順に冷媒を循環させている。これにより、冷媒回路２は、冷媒排熱用熱交換部１８において、室外熱交換器７を通過する前の過熱蒸気の冷媒により熱搬送媒体を加熱させている。
【００２７】
以下、空調装置１００によって、空調対象空間１の冷房、除湿及び換気を行う場合について説明する。
【００２８】
冷媒回路２は、エンジン１４にて圧縮機６を駆動することで、圧縮機６、冷媒排熱用熱交換部１８、室外熱交換器７、複数の膨張弁８、複数の室内熱交換器９の順に冷媒を循環させている。これにより、複数の室内熱交換器９の夫々を蒸発器として機能させて、空調対象空間１の冷房を行う。
【００２９】
また、デシカントロータ５は、図外の駆動部により回転駆動することで、給気路３にて空調対象空間１内に供給される外気の水分を吸着し、排気路４にて空調対象空間１外に排気される空気へ水分を放出している。これにより、空調対象空間１内に低湿の外気が供給されるとともに、空調対象空間１内の空気の一部が外部に排気されて、空調対象空間１の除湿及び換気を行う。
【００３０】
そして、冷媒回路２では、圧縮機６の駆動によって、室外熱交換器７を通過する前の過熱蒸気の冷媒が冷媒排熱用熱交換部１８に供給されているとともに、駆動排熱回収回路２０では、駆動排熱回収ポンプ２１の駆動によって、エンジン１４の排熱を回収した熱媒体が駆動排熱用熱交換部１７に供給されている。これにより、冷媒排熱用熱交換部１８では、室外熱交換器７を通過する前の過熱蒸気の冷媒にて熱搬送媒体を加熱するとともに、駆動排熱用熱交換部１７では、エンジン１４の排熱を回収した熱媒体にて熱搬送媒体を加熱している。
【００３１】
このとき、熱搬送媒体循環回路１６では、熱搬送媒体循環ポンプ１９の駆動によって、冷媒排熱用熱交換部１８及び駆動排熱用熱交換部１７にて加熱された熱搬送媒体を加熱部１５に供給している。これにより、加熱部１５において熱搬送媒体にてデシカントロータ５に供給される前の空気を加熱することで、乾燥させた空気をデシカントロータ５に供給することができる。よって、排気路４におけるデシカントロータ５から空気への水分の放出を十分に行うことができるので、給気路３では水分が十分に放出されたデシカントロータ５にて水分の吸着を十分に行うことができ、除湿性能を向上することができる。
【００３２】
ここで、熱搬送媒体循環回路１６は、直列に配置された冷媒排熱用熱交換部１８と駆動排熱用熱交換部１７とに対して、冷媒排熱用熱交換部１８、駆動排熱用熱交換部１７の順に熱搬送媒体を通流させている。これにより、熱搬送媒体の全量に対して、２段階の熱交換を行うことで冷媒排熱と駆動排熱とを効率良く回収できる。しかも、冷媒排熱用熱交換部１８では、室外熱交換器７を通過する前の過熱蒸気の冷媒にて熱搬送媒体を加熱することができ、冷媒が有する熱を効率良く且つ効果的に回収することができる。更に、駆動排熱であるエンジン排熱は、エンジン冷却水や排ガス等の高温の排熱であることから、駆動排熱用熱交換部１７では、熱搬送媒体をより高温まで安定して加熱できる。以上のことから、加熱部１５では、冷媒排熱と駆動排熱とを効率良く回収してより高温まで加熱された熱搬送媒体にて、デシカントロータ５に供給される前の空気を加熱できるので、空気を十分に乾燥させた状態でデシカントロータ５に供給でき、除湿性能の更なる向上を図ることができる。しかも、冷媒排熱と駆動排熱とを効率良く回収しているので、省エネルギー性能の面でも更なる向上を図ることができる。
【００３３】
〔第２実施形態〕
上記第１実施形態では、冷媒回路２が、冷媒排熱用熱交換部１８、室外熱交換器７の順に冷媒を通流させることで、室外熱交換器７を通過する前の過熱蒸気の冷媒を冷媒排熱用熱交換部１８に供給している。これに代えて、第２実施形態では、図２に示すように、冷媒回路２が、室外熱交換器７、冷媒排熱用熱交換部１８の順に冷媒を通流させることで、室外熱交換器７を通過した後の過冷却液の冷媒を冷媒排熱用熱交換部１８に供給している。これにより、冷媒排熱用熱交換部１８では、室外熱交換器７を通過した後の過冷却液の冷媒にて熱搬送媒体を加熱することができる。よって、例えば、冷媒排熱用熱交換部１８としては、液体と液体とを熱交換させる簡易な構造の液々熱交換器を採用することができる。また、冷媒排熱用熱交換部１８における冷媒排熱の回収量が少なくなるものの、駆動排熱用熱交換部１７における駆動排熱を優先的に回収でき、熱搬送媒体を高温までより安定して加熱できる。
【００３４】
〔第３実施形態〕
この第３実施形態では、図３に示すように、上記第１実施形態において、冷媒回路２の冷媒により給気路３にて空調対象空間１内に供給される空気を冷却する冷却部２２を給気路３に追加して備えたものである。
【００３５】
冷却部２２は、冷媒の供給を受けてその冷媒にて外気を直接冷却する熱交換器にて構成されている。冷却部２２は、冷媒回路２において複数の室内熱交換器９と圧縮機６との間に直列接続される状態で配置されており、室内熱交換器９からの過熱蒸気の冷媒が供給されるように構成されている。
【００３６】
冷却部２２として、給気路３において外気の通流方向でデシカントロータ５よりも上流側に配置された第１冷却部２２ａとデシカントロータ５よりも下流側に配置された第２冷却部２２ｂとが備えられている。第１冷却部２２ａと第２冷却部２２ｂは、冷媒回路２において並列接続されており、室内熱交換器９からの過熱蒸気の冷媒が分岐供給されている。
【００３７】
冷媒回路２では、圧縮機６、冷媒排熱用熱交換部１８、室外熱交換器７、複数の膨張弁８、複数の室内熱交換器９、冷却部２２（第１冷却部２２ａ及び第２冷却部２２ｂ）の順に冷媒を循環供給させている。これにより、複数の室内熱交換器９の夫々を蒸発器として機能させて、空調対象空間１の冷房を行うだけでなく、冷却部２２も蒸発器として機能させて、給気路３にて空調対象空間１内に供給される空気を冷却している。第１冷却部２２ａでは、デシカントロータ５に供給される前の外気を冷却することで、相対湿度を上昇させ、デシカントロータ５による水分の吸着を効率良く且つ効果的に行うことができる状態にでき、除湿性能の向上を図ることができる。更に、第２冷却部２２ｂでは、デシカントロータ５による水分吸着により温度が上昇した外気を冷却させることができるので、室内熱交換器９により冷房されている空調対象空間１に対してその冷却された外気を供給でき、冷房の効果を阻害することなく、換気及び除湿を行うことができ、快適な空調環境を提供することができる。
【００３８】
また、冷媒回路２では、複数の室内熱交換器９、冷却部２２（第１冷却部２２ａ及び第２冷却部２２ｂ）の順に直列接続されていることから、回路構成が簡易になるとともに、室内熱交換器９と冷却部２２との２段階で蒸発させることで、空調対象空間１を冷房するために用いられた後に残存している冷熱を冷却部２２にて利用することができ、快適な空調環境を得ることを優先させながら、省エネルギー性能の向上を図ることができる。
【００３９】
〔第４実施形態〕
上記第３実施形態では、図３に示すように、冷媒回路２における複数の室内熱交換器９と冷却部２２との接続構成として、複数の室内熱交換器９、冷却部２２の順に直列接続している。それに対して、この第４実施形態では、図４に示すように、冷媒回路２における複数の室内熱交換器９と冷却部２２との接続構成として、複数の室内熱交換器９と冷却部２２とを並列接続している。この場合には、冷媒回路２において、冷却部２２としての第１冷却部２２ａ及び第２冷却部２２ｂの夫々に対して、その手前箇所に膨張弁８が備えられている。
【００４０】
これにより、冷媒回路２では、室外熱交換器７からの過冷却液の冷媒を複数の膨張弁８の夫々に分岐供給して膨張させて湿り蒸気の冷媒とし、その湿り蒸気の冷媒を複数の室内熱交換器９、第１冷却部２２ａ、第２冷却部２２ｂの夫々に供給して蒸発させるようにしている。よって、複数の室内熱交換器９に加えて、第１冷却部２２ａ及び第２冷却部２２ｂも蒸発器として機能させて、空調対象空間１の冷房を行うだけでなく、第１冷却部２２ａ及び第２冷却部２２ｂでの外気の冷却を行うようにしている。
【００４１】
〔別実施形態〕
（１）上記第１〜第４実施形態において、図１〜図４に示した冷媒回路２では、空調対象空間１を冷房する場合を示しているが、この冷房に加えて、上述の如く、冷媒回路２に冷媒の通流状態を切り替える切替弁（例えば、四方弁）を設け、その切替弁によって、圧縮機６、複数の室内熱交換器９、複数の膨張弁８、室外熱交換器７の順に冷媒を循環供給させる状態に切り替えることで、室外熱交換器７を蒸発器として機能させるとともに、複数の室内熱交換器９を凝縮器として機能させて、空調対象空間１の暖房も行うことができる。
【００４２】
この冷房と暖房を切り替えて行えるシステムでは、例えば、図３において、加熱部１５及び冷却部２２に対しても、冷媒の通流状態を切り替える切替流路及び切替弁を備え、圧縮機６、冷媒排熱用熱交換部１８、複数の室内熱交換器９、複数の膨張弁８、室外熱交換器７、冷却部２２の順に冷媒を循環供給させる状態に切り替えることで、室外熱交換器７を蒸発器として機能させるとともに、複数の室内熱交換器９を凝縮器として機能させて、空調対象空間１の暖房を行いながら、冷媒排熱用熱交換部１８において冷媒にて熱搬送媒体を加熱でき、且つ、冷却部２２において冷媒にて空調対象空間１に供給する外気の冷却を行うことができる。
【００４３】
（２）上記第３及び第４実施形態では、冷媒回路２が、冷媒排熱用熱交換部１８、室外熱交換器７の順に冷媒を通流させることで、室外熱交換器７を通過する前の過熱蒸気の冷媒を冷媒排熱用熱交換部１８に供給している。これに代えて、上述の第２実施形態と同様に、冷媒回路２が、室外熱交換器７、冷媒排熱用熱交換部１８の順に冷媒を通流させることで、室外熱交換器７を通過した後の過冷却液の冷媒を冷媒排熱用熱交換部１８に供給することもできる。
【００４４】
（３）上記第１〜第４実施形態では、冷媒回路２において冷媒排熱用熱交換部１８と室外熱交換器７を直列接続しているが、冷媒排熱用熱交換部１８と室外熱交換器７を並列接続することもできる。
【００４５】
（４）上記第１〜第４実施形態では、圧縮機６を駆動する駆動部をエンジン１４としているが、例えば、燃料電池とモータを組み合わせ、モータにて圧縮機６を駆動させるもの等も採用することができる。この場合、燃料電池の排熱を熱媒体にて回収し、駆動排熱用熱交換部１７において熱媒体にて熱搬送媒体を加熱する。このように、圧縮機６を駆動する駆動部としては、排熱を排出する各種の駆動部を適用可能である。
【００４６】
（５）上記第３及び第４実施形態では、冷媒回路２において、第１冷却部２２ａと第２冷却部２２ｂを並列接続しているが、第１冷却部２２ａと第２冷却部２２ｂを直列接続して実施することもできる。この場合、第１冷却部２２ａと第２冷却部２２ｂのうち、どちらを上流側に配置するかについては適宜変更が可能である。
【００４７】
（６）上記第３及び第４実施形態では、冷却部２２として、第１冷却部２２ａと第２冷却部２２ｂの両方を備えているが、第１冷却部２２ａのみ、又は、第２冷却部２２ｂのみ備えることもできる。
【００４８】
（７）上記第３及び第４実施形態では、冷却部２２が冷媒の供給を受けてその冷媒にて外気を直接冷却する熱交換器にて構成されているが、例えば、冷媒と熱搬送媒体とを熱交換させる第１熱交換器と、その第１熱交換器にて熱交換された熱搬送媒体にて外気を冷却する第２熱交換器とを備えて、冷媒にて外気を間接的に冷却するようにしてもよい。
【００４９】
（８）上記第３実施形態では、冷媒回路２において、冷媒の通流方向で複数の室内熱交換器９、冷却部２２の順になるように直列接続しているが、逆に、冷媒の通流方向で冷却部２２、複数の室内熱交換器９の順になるように直列接続することもできる。
【符号の説明】
【００５０】
１          空調対象空間
２          冷媒回路
３          給気路
４          排気路
５          除湿部（デシカントロータ）
６          圧縮機
７          室外熱交換器
８          膨張部（膨張弁）
９          室内熱交換器
１５        加熱部
１６        熱搬送媒体循環回路
１７        駆動排熱用熱交換部
１８        冷媒排熱用熱交換部
２２        冷却部
１００      空調装置
【図１】
2017009187.tif 000003
【図２】
2017009187.tif 000004
【図３】
2017009187.tif 000005
【図４】
2017009187.tif 000006